(57)【要約】【課題】キャビネット内に手洗いのための給水配管および排水配管を立ち上げて施工でき、点検口から上記配管類の床下部分の点検や交換をできるトイレ用手洗いキャビネットの構造を提供する。【解決手段】トイレ内の床面に点検口５を穿ち、該点検口５の上に配置される手洗いキャビネットの構造であって、該手洗いキャビネットＡの内部には洗面ボウルＢのカランＣに接続される水道配管３と排水管４とが立設され、該手洗いキャビネットＡの底板１には上記水道配管３が挿通する水道配管挿通孔１１と排水管４が挿通する排水管挿通孔１２とが設けられるとともに、上記底板１とこの底板１の前端部に垂設される蹴込み板２とは着脱自在とされ、上記点検口５を通して上記配管の床下部３１、４１が点検可能とされたトイレ用手洗いキャビネットの構造。【選択図】図２
2008011961.tif 000002
【特許請求の範囲】
【請求項１】
トイレ内の床面に点検口を穿ち、該点検口の上に配置される手洗いキャビネットの構造であって、該手洗いキャビネットの内部には洗面ボウルのカランに接続される水道配管と排水管とが立設され、該手洗いキャビネットの底板には上記水道配管が挿通する水道配管挿通孔と排水管が挿通する排水管挿通孔とが設けられるとともに、上記底板とこの底板の前端部に垂設される蹴込み板とは着脱自在とされ、上記点検口を通して上記配管の床下部が点検可能とされたトイレ用手洗いキャビネットの構造。
【請求項２】
上記底板と蹴込み板とがそれぞれ独立して着脱自在とされた請求項１に記載のトイレ用手洗いキャビネットの構造。
【請求項３】
上記底板と蹴込み板とが一体化して着脱自在とされた請求項１に記載のトイレ用手洗いキャビネットの構造。
【請求項４】
上記底板を水道配管挿通孔と排水管挿通孔の略中央を結ぶ線で分割し、上記底板の前半部と蹴込み板とを一体化して着脱自在とされた請求項３に記載のトイレ用手洗いキャビネットの構造。
【発明の詳細な説明】
【技術分野】
【０００１】
本発明は、手洗いキャビネットに関する。さらに詳しくは、キャビネット内に手洗いのための給水配管および排水配管が立設され、とくにトイレ内に設けられる手洗いキャビネットの構造に関する。
【背景技術】
【０００２】
通常、洗面室に配置される洗面キャビネットの内部には、手洗い、洗面用の給水、排水用の配管類が床下から立ち上がり、底板を貫通して洗面ボウルまで配管されている。上記配管類は床パネルに穿たれた点検口から目視により、あるは工具類を使用してメンテナンスされるため、上記点検口および点検口用蓋は洗面キャビネットの下側位置に設けられることが多い。
【０００３】
下記特許文献１には、床パネルに穿たれた上記床下配管の点検口を覆うように洗面キャビネットを配置し、洗面キャビネットの底板の上記点検口の上側に対応する部分を脱着可能部とするとともに、併せて蹴込み幅木の一部を脱着可能部とし、それらの脱着可能部と点検口蓋とで箱体状の引出しを構成した洗面キャビネットが開示されている。
【特許文献１】特開平９−１１２０５２号公報（第１〜３頁、第１図、第３図）
【発明の開示】
【発明が解決しようとする課題】
【０００４】
しかしながら、上記特許文献１に記載の技術は、上記脱着可能部と点検口蓋とで構成された箱体状の引出しで点検口を覆うため、構造が複雑となるとともに、床下から給水配管や排水用配管類を立ち上げて施工した場合には、引出しの出し入れができず、適用することができないという問題がある。
【０００５】
本発明はこのような問題を解決して、キャビネット内に手洗いのための給水配管および排水配管を立ち上げて施工することができるとともに、点検口から床下部分の配管類の点検や交換をできるトイレ用手洗いキャビネットの構造を提供することを、その課題とする。
【課題を解決するための手段】
【０００６】
上記課題を解決するために、本発明においては、つぎのような技術的手段を講じている。すなわち、請求項１に記載の発明によれば、トイレ内の床面に点検口を穿ち、該点検口の上に配置される手洗いキャビネットの構造であって、該手洗いキャビネットの内部には洗面ボウルのカランに接続される水道配管と排水管とが立設され、該手洗いキャビネットの底板には上記水道配管が挿通する水道配管挿通孔と排水管が挿通する排水管挿通孔とが設けられるとともに、上記底板とこの底板の前端部に垂設される蹴込み板とは着脱自在とされ、上記点検口を通して上記配管の床下部が点検可能とされたトイレ用手洗いキャビネットの構造が提供される。上記点検口は、開口したままでもよく、また、通常は、点検口用蓋で覆い、点検のときのみ開口するようにしてもよい。
【０００７】
請求項２に記載のトイレ用手洗いキャビネットの構造は、請求項１に記載の発明に加えて、上記底板と蹴込み板とがそれぞれ、独立して着脱自在とされる。
【０００８】
請求項３に記載のトイレ用手洗いキャビネットの構造は、請求項１に記載の発明に加えて、上記底板と蹴込み板とが一体化されて着脱自在とされる。
【０００９】
請求項４に記載のトイレ用手洗いキャビネットの構造は、請求項３に記載の発明に加えて、上記底板を水道配管挿通孔と排水管挿通孔の略中央を結ぶ線で分割し、上記底板の前半部のみと蹴込み板とを一体化して着脱自在とされる。
【発明の効果】
【００１０】
請求項１に記載の発明にかかるトイレ用手洗いキャビネットの構造は上記のとおりであり、トイレ内の床面に穿たれた点検口の上に配置される手洗いキャビネットの内部に水道配管と排水管とが立設され、該手洗いキャビネットの底板には水道配管挿通孔と排水管挿通孔とが設けられるとともに、上記底板とこの底板の前端部に垂設される蹴込み板とは着脱自在とされているため、上記点検口を通して床下部分の配管類の点検や交換を容易に行うことができる。
【００１１】
請求項２に記載のトイレ用手洗いキャビネットの構造は上記のとおりであり、請求項１のトイレ用手洗いキャビネットの構造の有する効果に加え、上記底板と蹴込み板とがそれぞれ独立して着脱自在とされているため、蹴込み板を取り外した後、底板を水道配管と排水管に沿って上方にずり上げることにより、現れた点検口から床下配管部を容易に点検することができる。
【００１２】
請求項３に記載のトイレ用手洗いキャビネットの構造は上記のとおりであり、請求項１のトイレ用手洗いキャビネットの構造の有する効果に加え、上記底板と蹴込み板とが一体化されているため、底板を水道配管と排水管に沿って上方にずり上げることにより、現れた点検口から容易に床下配管を点検することができる。
【００１３】
請求項４に記載のトイレ用手洗いキャビネットの構造は上記のとおりであり、請求項１のトイレ用手洗いキャビネットの構造の有する効果に加え、上記底板を水道配管挿通孔と排水管挿通孔の略中央を結ぶ線で分割し、上記底板の前半部と蹴込み板を一体化して着脱自在とされているため、底板を水道配管と排水管に沿って上方にずり上げることなく、単に蹴込み板を前方に取り外すだけで底板の前半部も共に外れ、簡単に点検口が現れて床下配管を点検することができる。
【発明を実施するための最良の形態】
【００１４】
以下、本発明にかかるトイレ用手洗いキャビネットの構造の実施形態について図面を参照して詳細に説明する。図１は、トイレ内の床面に穿たれた点検口の上に配置される本発明にかかる手洗いキャビネットＡの内部を示す正面図である。図１に示すように、上記手洗いキャビネットＡは手洗いボウルＢを備えるとともに、手洗いボウルＢに臨むカランＣに接続される水道配管３および手洗いボウルＢの排水管４が手洗いキャビネットＡの内部に立設されている。また、手洗いキャビネットＡの側板６どうしの間には背板７に沿って底板１が架設され、底板１の前端部から床面にかけて蹴込み板２が垂設されている。
【００１５】
図２は、蹴込み板２を取り外し、底板１の下方の床パネルＦに穿たれた点検口５を示す分解説明図である。図２に示すように、上記底板１には、水道配管挿通孔１１と排水管挿通孔１２とが設けられ、点線で示す水道配管３と排水管４とは上記水道配管挿通孔１１と排水管挿通孔１２とを挿通した後、床下に配管される。上記点検口５から、床下に伸びる水道配管床下部３１と排水管床下部４１とは目視により点検され、また、工具類を使って容易に点検、交換等をすることができる。
【００１６】
図３は、本発明にかかるトイレ用手洗いキャビネットの構造の第１実施形態を示す部分斜視図である。以下、説明を容易にするため、水道配管３と排水管４との図示は省略する。図４は、図３におけるＸ−Ｘ線に沿う側断面図である。図３、図４に示されているように本実施形態においては、底板１と蹴込み板２とがそれぞれ独立して着脱自在とされている。すなわち、図４に示すように、蹴込み板２は一辺が側板６に固定されたＬ型金具８１の他の辺に設けられたタッピング孔に、蹴込み板２に穿たれたビス挿通孔２１を介してタッピングビスＴ１により着脱自在にビス固定される。
【００１７】
また、底板１は、背板７に沿って立設され両端が両側板６に固定された後桟９１と、上記蹴込み板２との上に着脱自在に載置されるとともに、上記底板１の前側裏面には底板１が前後にずれて落ちることを防ぐための横桟９２が取り付けられている。このようにすることにより、タッピングビスＴ１を緩めて蹴込み板２を取り外し、底板１を水道配管３と排水管４に沿って上方にずり上げることにより、床下に伸びる水道配管床下部３１と排水管床下部４１とを点検口５から容易に点検することができる。
【００１８】
図５は、本発明にかかるトイレ用手洗いキャビネットの構造の第２実施形態を示す側断面図である。本実施形態においては、底板１と蹴込み板２とはＬ型金具８２によって一体化されて用いられる。図５に示すように、蹴込み板２と一体化された底板１は一辺が側板６に固定され、他の辺にタッピング孔が設けられたＬ型金具８３にビス挿通孔１３を介して着脱自在にタッピングビスＴ２によりビス固定される。このようにすることにより、タッピングビスＴ２を緩め、蹴込み板２と一体化した底板１を水道配管３と排水管４に沿って上方にずり上げることにより、床下に伸びる水道配管床下部３１と排水管床下部４１とを点検口５から容易に点検することができる。
【００１９】
図６は本発明にかかるトイレ用手洗いキャビネットの構造の第３実施形態を示す側断面図である。本実施形態においては、底板１を水道配管挿通孔１１と排水管挿通孔１２の略中央を結ぶ線で分割して前半部１ａと後半部１ｂとし、該後半部１ｂの両端部は左右側板６の内側に固定される。固定する方法はとくに限定されず、ビス固定、接着剤による固定等公知の方法が用いられる。このようにすることにより、底板１の前半部１ａと蹴込み板２とが完全に一体化するため、タッピングビスＴ２を緩め、蹴込み板２を外すことにより底板１の前半部１ａも共に外れる。その結果、第１実施形態、第２実施形態における場合のように底板１を水道配管３と排水管４に沿って上方にずり上げることなく、簡単に点検口５が現れ、水道配管床下部３１と排水管床下部４１とを容易に点検することができる。
【図面の簡単な説明】
【００２０】
【図１】本発明にかかる手洗いキャビネットの内部を示す正面図である。
【図２】上記手洗いキャビネット下方の床パネルに穿たれた点検口を示す分解説明図である。
【図３】本発明にかかるトイレ用手洗いキャビネットの構造の第１実施形態を示す部分斜視図である。
【図４】図３におけるＸ−Ｘ線に沿う側断面図である。
【図５】本発明にかかるトイレ用手洗いキャビネットの構造の第２実施形態を示す側断面図である。
【図６】本発明にかかるトイレ用手洗いキャビネットの構造の第３実施形態を示す側断面図である。
【符号の説明】
【００２１】
Ａ          本発明にかかる手洗いキャビネット
Ｂ          手洗いボウル
Ｃ          カラン
Ｆ          床パネル
１          底板
１１        水道配管挿通孔
１２        排水管挿通孔
２          蹴込み板
３          水道配管
３１        水道配管床下部
４          排水管
４１        排水管床下部
５          点検口
６          側板
７          背板
８１        第１実施形態におけるＬ型金具
９１        第１実施形態における後桟
９２        第１実施形態における横桟
２１        第１実施形態におけるビス挿通孔
Ｔ１        第１実施形態におけるタッピングビス
８２        第２実施形態におけるＬ型金具
８３        第２実施形態におけるＬ型金具
１３        第２実施形態におけるビス挿通孔
Ｔ２        第２実施形態におけるタッピングビス
１ａ        第３実施形態における底板の前半部
１ｂ        第３実施形態における底板の後半部
【図１】
2008011961.tif 000003
【図２】
2008011961.tif 000004
【図３】
2008011961.tif 000005
【図４】
2008011961.tif 000006
【図５】
2008011961.tif 000007
【図６】
2008011961.tif 000008